(57)【要約】【課題】工事用の可撓性長尺物を巻いたリールを工事用車両に載置したままで、しかも、リールの向きをいちいち人為的に変更する必要なく、可撓性長尺物の引き出しや巻き取りを円滑に行い得る工事用車両。【解決手段】前方に運転キャビン２を備え、後方に荷台３を備えていて、その荷台３に工事用の可撓性長尺物９を巻いたリール１０が載置されている自走可能な工事用車両であって、リール１０が、その回転軸心Ｌ２を横方向に向けた状態で、荷台３に対して上下方向軸心Ｌ１周りに回動可能に載置されている。【選択図】        図３
2004292129.tif 000002
【特許請求の範囲】
【請求項１】
前方に運転キャビンを備え、後方に荷台を備えていて、その荷台に工事用の可撓性長尺物を巻いたリールが載置されている自走可能な工事用車両であって、
前記リールが、その回転軸心を横方向に向けた状態で、前記荷台に対して上下方向軸心周りに回動可能に載置されている工事用車両。
【請求項２】
前記リールが、前記運転キャビン近くに載置され、そのリールの後方が、前記車両の後方側から出し入れ自在な荷台空間に構成されて、その車両の後部にリフタが設置されている請求項１に記載の工事用車両。
【請求項３】
前記荷台空間の左右側方および上方が、前記車両の前後方向視において門型に組み付けられた複数の物品収納装置により覆われている請求項２に記載の工事用車両。
【請求項４】
前記リールと運転キャビンの間が、小物用荷台空間に構成されている請求項２または３に記載の工事用車両。
【発明の詳細な説明】
【０００１】
【発明の属する技術分野】
本発明は、前方に運転キャビンを備え、後方に荷台を備えていて、その荷台に工事用の可撓性長尺物を巻いたリールが載置されている自走可能な工事用車両に関する。
【０００２】
【従来の技術】
例えば、ガス工事用の車両であれば、可撓性長尺物の一例であるガス工事用のホースを巻くリールとして、従来、設置用の固定枠とその固定枠に回転のみ自在に保持されたリール本体から構成されたものが使用されており、必要に応じて、そのリールを工事用車両の荷台に載置して工事現場まで搬送していたのが実情である（実際に実施されてはいるが、そのような工事用車両に言及した適切な特許文献は見当たらない）。
【０００３】
【発明が解決しようとする課題】
工事現場では、リールからホースなどの可撓性長尺物を引き出して使用し、使用後においては、可撓性長尺物を巻き取ることになるが、リールの回転軸心に対してほぼ直交する方向に可撓性長尺物を引き出したり、巻き取ったりしなければ、可撓性長尺物の引き出しや巻き取りが円滑に行かないことになる。
したがって、上述した従来技術では、ホースなどの可撓性長尺物の引き出し方向や巻き取り方向に合わせてリール全体の向きを人為的に変更する必要があり、工事用の可撓性長尺物を巻いたリールはかなりの重量物であることから、作業者にとっては大きな負担となっていた。
【０００４】
本発明は、このような従来の問題点に着目したもので、その目的は、工事用の可撓性長尺物を巻いたリールを工事用車両に載置したままで、しかも、リールの向きをいちいち人為的に変更する必要なく、可撓性長尺物の引き出しや巻き取りを円滑に行い得る工事用車両を提供することである。
【０００５】
【課題を解決するための手段】
請求項１の発明の特徴構成は、前方に運転キャビンを備え、後方に荷台を備えていて、その荷台に工事用の可撓性長尺物を巻いたリールが載置されている自走可能な工事用車両であって、前記リールが、その回転軸心を横方向に向けた状態で、前記荷台に対して上下方向軸心周りに回動可能に載置されているところにある。
【０００６】
請求項１の発明の特徴構成によれば、運転キャビンと荷台を備えた自走可能な工事用車両において、工事用の可撓性長尺物を巻いたリールが、その回転軸心を横方向に向けた状態で、荷台に対して上下方向軸心周りに回動可能に載置されているので、例えば、ホースなどの可撓性長尺物を引き出す場合であれば、可撓性長尺物の引き出しに伴って、リールが上下方向軸心周りに自然に回動し、可撓性長尺物の引き出し方向がリールの回転軸心とほぼ直交する状態に自動的に修正され、たとえ自動修正が不可能な場合でも、比較的小さな人為力でリールの向きを容易に変更して円滑に引き出すことができる。
同様に、可撓性長尺物を巻き取る場合にも、比較的小さな人為力でリールの向きを適宜変更しながら可撓性長尺物を円滑に巻き取ることができ、その結果、リールをガス工事用車両に載置したままで、比較的小さな人為力により可撓性長尺物の引き出しや巻き取りを円滑に行うことができる。
【０００７】
請求項２の発明の特徴構成は、前記リールが、前記運転キャビン近くに載置され、そのリールの後方が、前記車両の後方側から出し入れ自在な荷台空間に構成されて、その車両の後部にリフタが設置されているところにある。
【０００８】
請求項２の発明の特徴構成によれば、前記リールが、運転キャビン近くに載置され、そのリールの後方が、車両の後方側から出し入れ自在な荷台空間に構成されているので、車両の荷台を効率良く活用して、リール後方の荷台空間に工事に必要な装置類を車両の後方側から出し入れでき、しかも、車両の後部にリフタが設置されているので、必要な場合にはリフタを使用することができ、たとえ重量のある装置類でも楽に出し入れすることができる。
【０００９】
請求項３の発明の特徴構成は、前記荷台空間の左右側方および上方が、前記車両の前後方向視において門型に組み付けられた複数の物品収納装置により覆われているところにある。
【００１０】
請求項３の発明の特徴構成によれば、前記荷台空間の左右側方および上方が、車両の前後方向視において門型に組み付けられた複数の物品収納装置により覆われているので、荷台空間に装置類を載置すると、その周りが物品収納装置により保護されて他物との当接が回避されるのみならず、物品収納装置に対しては、例えば、車両の側方、上方、あるいは、後方などから工事に必要な工具や備品類を自由に出し入れすることができ、車両の荷台をより一層効率良く使用することができる。
【００１１】
請求項４の発明の特徴構成は、前記リールと運転キャビンの間が、小物用荷台空間に構成されているところにある。
【００１２】
請求項４の発明の特徴構成によれば、リールと運転キャビンの間が、小物用荷台空間に構成されているので、上述したように、リール後方の荷台空間に比較的重い装置類を載置し、また、物品収納装置に工具や備品類を収納した上で、リールと運転キャビンとの間の空間をも有効に使用して小物類を載置することができ、工事に必要なものを車両の荷台に要領良くコンパクトに収納載置することができる。
【００１３】
【発明の実施の形態】
本発明による工事用車両の実施の形態につき、ガス工事用車両を例にとって図面に基づいて説明する。
このガス工事用の車両１は、図１〜図３に示すように、前方に運転キャビン２を備え、後方に荷台３を備え、かつ、下方に左右一対の前輪４と後輪５を備えていて、図外のエンジンやモータにより自走可能に構成されている。
荷台３の左右側方には、その下端近くを回動軸心として上下方向に回動して開閉する側方扉６がそれぞれ設けられ、荷台３の後方には、後方扉を兼用する油圧式あるいは電動式のリフタ７が設けられていて、上方へ回動固定して後方扉を兼用する収納姿勢（図１および図２参照）と、下方へ回動して開放し、荷台３と地面近くとの間で重量物を上下昇降させる作用姿勢（図３参照）とに切り換え可能に構成されている。
【００１４】
前記荷台３において、運転キャビン２の直後方には、図５にも示すように、ターンテーブル８が、その回転軸心Ｌ１を垂直方向に向けて、好ましくは、荷台３に固定されて設置され、さらに、そのターンテーブル８上には、工事用の可撓性長尺物の一例であるガス工事用のホース９を巻いたリール１０が、その回転軸心Ｌ２を水平方向に向けて、好ましくは、ターンテーブル８に固定されて載置されている。
すなわち、リール本体１０ａと、そのリール本体１０ａを回転軸心Ｌ２周りで回転自在に保持する保持枠１０ｂを備えたリール１０において、その回転軸心Ｌ２を横方向に向けた状態で、保持枠１０ｂがターンテーブル８上に固定載置されて、リール１０全体が荷台３に対して上下方向軸心Ｌ１周りに回転可能に設置されている。
【００１５】
前記ガス工事用のホース９は、例えば、地中に埋設されたガス管を補修する際、その補修箇所をバイパスさせて下流側にガスを供給するために使用したり、補修完了後において、補修したガス管にパージ用のガスを供給する際などに使用するもので、リール１０に対して引き出しおよび巻き取り自在に巻かれている。
そのリール１０が載置されたターンテーブル８は、荷台３に対して３６０度の角度範囲にわたって自由に相対回転できる回転状態と、相対回転不能な固定状態とに切り換え可能に構成されている。
ただし、ターンテーブル８の回転に関しては、必ずしも３６０度の角度範囲にわたって回転する必要はなく、適切な設定角度範囲にわたってのみ回動可能な構成であっても良い。
【００１６】
前記荷台３におけるターンテーブル８の後方には、図４に示すように、車両１の前後方向視において門型に形成された鉄板製のフレーム１１が取り付けられ、そのフレーム１１の左右側方における下方には、テーブル状の枠体１２ａが設置固定されて、その内部空間が、例えば、ガス管などの長尺物１３を収納する物品収納空間１２に構成されている。
その左右一対の物品収納空間１２の上方には、横側方に開口自在な蓋１４ａを有する物品収納棚１４が、それぞれ２段ずつ積み重ねられ、最上部には、左右の物品収納棚１４にわたって、上方に開口自在な蓋１５ａを有する物品収納箱１５が設置され、例えば、物品収納棚１４には、工事に必要な備品や各種工具類が収納できるように、物品収納箱１５には、工事に必要なホース類が収納できるように構成されている。
【００１７】
これら物品収納空間１２、上下２段の物品収納棚１４、および、物品収納箱１５は、物品収納装置の一例であり、多数の物品収納装置１２，１４，１５が、車両１の前後方向視において門型に組み付けられて、その門型の内側空間が、車両１の後方側から出し入れ自在な荷台空間１６に構成されている。換言すると、車両１の後方側から出し入れ自在な荷台空間１６が、多数の物品収納装置１２，１４，１５によって、その左右側方および上方が覆われた構成とされている。
この荷台空間１６は、例えば、パージ用のガスを供給するパージ装置１７のような重量物を載置収納するためのもので、リフタ７に近接して位置するため、たとえ重量のあるパージ装置１７のようなものであっても、リフタ７を使用して楽に積み下ろしすることができる。
【００１８】
前記荷台３において、運転キャビン２とリール１０の間は、小物用荷台空間１８に構成され、図６に示すように、工事中に使用する複数個のカラーコーン１９を積み重ねて載置収納したり、運転キャビン２の背面に取り付けられたフック２０に複数本のコーンバー２１を引っ掛けて収納したり、ガス工事用のホース９などを保護する保護チャンネル２２を載置収納できるように構成されている。
このように物品収納空間１２にガス管などの長尺物１３を、荷台空間１６にパージ装置１７のような重量物を、また、小物用荷台空間１８にカラーコーン１９、コーンバー２１、および、保護チャンネル２２などを収納して側方扉６を閉じ、かつ、後方扉を兼用するリフタ７を上方へ回動固定して収納姿勢に切り換えることにより、収納物が落下するおそれもなく、安全に搬送することができる。
【００１９】
なお、車両１の走行時には、リール１０の回転軸心Ｌ２が、例えば、車両１の前後方向に直交する方向や車両１の前後方向に沿う方向に向く位置で、ターンテーブル８を荷台３に固定して走行するのが好ましい。
さらに、必要に応じて、図１において仮想線で示すように、全体をシート２３で覆って走行するのが好ましく、その場合には、リール１０と物品収納箱１５の高さがほぼ同一に設定されているので、シート２３によりコンパクトに覆うことができる。
なお、図中２４は、工事中であることを発光表示する表示板である。
【００２０】
〔別実施形態〕
（１）先の実施形態では、工事用車両の一例としてガス工事用の車両１を示したが、ガス工事用車両以外にも、電気工事や水道工事などの各種工事用車両に適用することができ、その場合、可撓性長尺物としては、ケーブルや電線類をはじめとして、各種のホース類などが該当することになる。
また、先の実施形態では、車両１の荷台３にターンテーブル８を設置し、かつ、ターンテーブル８上にリール１０を載置することで、リール１０が、その回転軸心Ｌ２を横方向に向けて、上下方向軸心Ｌ１周りに回転するように構成した例を示したが、ターンテーブル８を使用することなく実施することもできる。
すなわち、リール１０の保持枠１０ｂを上下方向軸心Ｌ１周りで回転するように荷台３に直接取り付けて実施することもできる。
【００２１】
（２）先の実施形態では、門型に組み付けた複数の物品収納装置１２，１４，１５によって荷台空間１６の左右側方および上方を覆った例を示したが、物品収納装置１２，１４，１５により荷台空間１６を覆うことなく実施することもでき、また、荷台空間１６を覆う場合には、荷台空間１６の左右側方のみを覆ったり、左右側方の一方のみを覆うこともできる。
さらに、荷台空間１６を覆う場合、そのための物品収納装置としては、先の実施形態で示した物品収納空間１２、物品収納棚１４、および、物品収納箱１５に限るものではなく、その他、種々の構成の物品収納装置を用いて荷台空間１６を覆うことができる。
【図面の簡単な説明】
【図１】ガス工事用車両の側面図
【図２】ガス工事用車両の平面図
【図３】ガス工事用車両の側面図
【図４】ガス工事用車両の背面図
【図５】ガス工事用車両の要部正面図
【図６】ガス工事現場の説明図
【符号の説明】
１                車両
２                運転キャビン
３                荷台
７                リフタ
９                工事用の可撓性長尺物
１０              リール
１２，１４，１５  物品収納装置
１６              荷台空間
１８              小物用荷台空間
Ｌ１              上下方向軸心
Ｌ２              リールの回転軸心
【図１】
2004292129.tif 000003
【図２】
2004292129.tif 000004
【図３】
2004292129.tif 000005
【図４】
2004292129.tif 000006
【図５】
2004292129.tif 000007
【図６】
2004292129.tif 000008